Podtech/llm-jp-corpus-v4-ja_patent huggingface dataset:
(57)【要約】      （修正有）【課題】農作業において、稲刈り後の稲を乾燥させる、いわゆる「ほさがけ」に際して稲束を拾う器具を提供する。【解決手段】把手本体１の先端に、Ｔ字金具３を、円筒形の補助具２を介して設けた事を特徴とする、稲束拾い器具。Ｔ字金具は横から見て、独楽形やハート形、球状でも良い。【選択図】図３
0003130798.tif 000002
【実用新案登録請求の範囲】
【請求項１】
農作業において、稲刈り後の稲を乾燥させる、いわゆる「ほさがけ」に際して、把手の先端に、稲束のひもが掛かるＴ字金具を設けた事を特徴とした稲束を拾う器具。
【考案の詳細な説明】
【技術分野】
【０００１】  本考案は、把手の先にＴの字の金具を付けた、稲束を拾う器具に関するものである。
【背景技術】
【０００２】  従来、農作業において、秋の収穫時、刈り取った稲を、杭を立てて木の棒か竹で組んだ「ほさ」に掛けて天日乾燥させる、いわゆる「ほさがけ」作業時、主に稲束は手で拾っていた。
また、稲束を拾う器具として、約１メートルの把手の先にＬ字型に湾曲した角棒フォークが付いたものが知られている（実用新案文献１）。
【実用新案文献１】
実用新案登録第３０７５２１７号
【考案の開示】
【考案が解決しようとする課題】
【０００３】  そのために次のような問題点があった。
（イ）田んぼ一面に分散して刈りまとめられた稲刈り後の稲束を手で拾おうとすると、膨大な時間が掛かる。
（ロ）腰を曲げて稲束を長時間拾う作業を続けると、腰痛になる場合がある。
（ハ）把手の先が鋭利である為、危険である。
（ニ）把手の先の角棒フォークが長い為、稲束を手に持ち替える時、稲束が外れ難い。
（ホ）把手の先の角棒フォークは一方向だけに出ている為、稲束の落ちている角度によって把手を持ち替えなければならない。
本考案は、以上の問題点を解決するためになされたものである。
【課題を解決するための手段】
【０００４】  把手本体の先端に、稲の束のひもが掛かるＴ字金具を、円筒形の補助具を介して設けた事を特徴とした稲束を拾う器具。
【考案の効果】
【０００５】  稲束の３６０度、どの角度からでも、結束ひもに、稲穂側からでも逆側からでも掛けられ、真上から見て円形である為、持ち替えず、稲束を容易に拾うことができ、又容易に外すことができる。
【考案を実施するための最良の形態】
【０００６】  （イ）  把手本体（１）の先端部に円筒形の補助具（２）を装填し、稲束の結束ひもが掛かる真上から見て円形、真横から見て「Ｔ」型のＴ字金具（３）を先端に設ける。しかしながら、このＴ字金具（３）の形態は、必ずしもこれに拘泥するものではなく、例えば横から見て独楽形やハート形や他に球状にしても良い。【０００７】      稲刈り後、稲を日に干す為、ほさに吊るす際、稲束を手で拾い上げる代わりに腰を屈めずに引っ掛けて吊るし上げて使用する。
【図面の簡単な説明】
【０００８】
【図１】  本考案の斜視図
【図２】  本考案の断面図
【図３】  本考案の分解斜視図
【図４】  本考案の使用状態を示す斜視図
【符号の説明】
【０００９】  １        把手本体
２        円筒形の補助具
３        Ｔ字金具
【図１】
0003130798.tif 000003
【図２】
0003130798.tif 000004
【図３】
0003130798.tif 000005
【図４】
0003130798.tif 000006
(57)【要約】      （修正有）【課題】従来の防麈マスクにありがちなフィルターの目詰まりによる粉塵の吸い込みを防ぐことができ、さらに面体を頭部から掛け口と鼻から離して使用するため作業者の疲労感、あるいは蒸すを少なくする。【解決手段】粉塵場所の外部から送風ファンに接続したホース３を通して作業者まで外気を引き込み、そのホースに口と鼻を覆う面体１に接続して外気を噴出し、その面体を頭部から掛ける器具２により口と鼻から離して固定して使用することにより、顔面の圧迫感を無くし、又、外気を噴出することにより直接外気を吸うことが出来る開放式防塵マスクである。【選択図】図１
0003130794.tif 000002
【実用新案登録請求の範囲】
【請求項１】
頭部に掛けた帯状の掛け具と呼吸部から少し離して呼吸部を覆う面状の面体と、それを保持する棒状の棒体と、その棒体を前記掛け具に両方の耳のあたりで留め具で接続し、さらに前記面体に送風穴を有し、その穴にホースを接続し送風するものであって、専用の送風ファンあるいは既設の圧縮機をエアーの供給源とすることを特徴とした開放式防塵マスクである。
【考案の詳細な説明】
【技術分野】
【０００１】本考案は防塵マスクに関するものである。
【背景技術】
【０００２】従来の防塵マスクにおいて、顔面に密着して使用するものが多かった。
【特許文献】  昭５８−１７７１４９  公開実用新案公報
【考案の開示】
【考案が解決しようとする課題】
【０００３】従来の防塵マスクにおいては使用経過によって、フィルターが目詰まりして機能を低下させ粉塵を吸い込みがちであり、又顔面に密着して使用するために作業者の疲労感、蒸すに繋がった。
【課題を解決するための手段】
【０００４】本考案は、粉塵場所以外の外気から送風ファンに接続したホースで作業場所に引き込み、さらにそのホースを口と鼻を覆う面体に接続し、外気を直接吸うことができるようにし、さらに面体を頭部から掛ける器具により口と鼻から離して使用するものである、エアーの供給源として専用の送風ファンあるいは既設の圧縮機を使用することが出来る。
【考案の効果】
【０００５】本考案の口と鼻を覆う面体により、外気を直接吸うことができるために、従来の防麈マスクにありがちなフィルターの目詰まりによる粉塵の吸い込みを防ぐことができ、さらに面体を頭部から掛け口と鼻から離して使用するため作業者の疲労感、あるいは蒸すを少なくすることができる。
【考案の実施するための最良の形態】
【０００６】以下．本考案の実施形態を図１から図２に基づいて説明する。
【０００７】図１において頭部から掛けた帯体２と図２の棒体７を留め具８によって接続し、面体１を顔面から少し離して固定し面体１に設けたエアーの噴出穴とそれに接続したホース３によってエアーを噴出し、又ホースが邪魔にならないようにフック５によって固定し、ホースの末端に接続プラグ４を有し、エアーの供給源として図２の専用の送風ファン６あるいは既設の圧縮機を使用出来る様にしたものである。
【図面の簡単な説明】
【０００８】
【図１】本考案を横から見た図
【図２】本考案を正面から見た図
【符号の説明】
【０００９】      １    面体
２    掛け帯
３    ホース
４    接続プラグ
５    フック
６    送風ファン
７    支持棒体
８    留め具
【図１】
0003130794.tif 000003
【図２】
0003130794.tif 000004
(57)【要約】      （修正有）【課題】漫画に描かれる集中線やフラッシュ線、その他の作図にも描かれるパース線等、任意の中心点を中心に定規を回転、回転する定規に沿って放射状の線画を作図するのに必要な、定規を当てる支点を、紙面を傷付ける事無く正確且つ容易に実現する。【解決手段】比重７．０以上の材料で形成された基礎構造体とそれを被覆するカバー層、底面に設けられたゴム層５とで構成された、設置面及び紙面に対し真っ直ぐ垂直に立つ線状の角６を１箇所以上有する設置式固定台の形状の作図用補助器具。【選択図】図１
0003130799.tif 000002
【実用新案登録請求の範囲】
【請求項１】
任意の定規を任意の中心点を中心に正確に回転させて放射状の線画を作図する為に必要な、定規を当てる支点を実現する、比重７．０以上の材料で形成された基礎構造体と、それを被覆するカバー層と、底面に設けられた摩擦力増加用のゴム層とを備えた、設置面及び紙面に対し真っ直ぐ垂直に立つ線状の角を１箇所以上有する設置式固定台の形状の放射状線画作図用補助器具。
【考案の詳細な説明】
【技術分野】
【０００１】  本考案は漫画に描かれる集中線やフラッシュ線等の効果線、その他の作図にも描かれるパース線等、あらゆる種類の放射状の線画を、紙面を傷付ける事無く正確且つ容易に作図するのに使用する、作図用補助器具に関する。
【背景技術】
【０００２】  漫画に描かれる集中線やフラッシュ線等の効果線、その他の作図にも描かれるパース線等の放射状の線画を作図する事を実現する、従来の方法は（１）任意の中心点に画鋲を針がある程度露出する深さまで刺して固定、露出した針に任意の定規を当て、針を支点に回転する定規に沿って放射状の線画を作図する、（２）画鋲を上下逆にして任意の中心点上に置き、それをテープで貼り付けて固定、上部に露出した針に任意の定規を当て、針を支点に回転する定規に沿って放射状の線画を作図する、（３）先行技術（実開昭５８−１９２０９３、実開昭５９−９９７９７、実開昭５９−１７１９９１、実開平０３−８５９７、特開平成０７−２５７０９１）に基づく作図用の特殊定規を用いて作図する、等がある。
【考案の開示】
【考案が解決しようとする課題】
【０００３】  しかし、以上に述べた従来の方法では、（１）は針で紙面を損傷し、（２）は画鋲の傘を下にする為、下にされた傘が任意の中心点の位置を覆ってしまって正確に支点を設置させるのが困難、（３）は作図用の特殊定規として定規の寸法と形状、種類が予め決められており、状況に適した寸法の定規や雲定規等の特殊な形状や種類の定規を任意に選定してあらゆる種類の放射状の線画を作図する事が不可能。【０００４】  本考案は、このような従来の方法が有していた問題を解決しようとする物であり、漫画に描かれる集中線やフラッシュ線等の効果線、その他の作図にも描かれるパース線等、あらゆる種類の放射状の線画を、紙面を傷付ける事無く正確且つ容易に作図するのに使用する、作図用補助器具を実現する事を目的とする。
【課題を解決するための手段】
【０００５】  本考案は任意の定規１を任意の中心点を中心に正確に回転させ、あらゆる種類の放射状の線画を作図するのに必要な、紙面を傷付けずに任意の中心点に強く設置し、任意の定規１を当ててもずれない、支点を支える固定部を実現する手段として重量と摩擦力を利用。【０００６】  本考案の作図用補助器具の構成として、まず比重７．０以上の材料を用い、基礎構造体２を形成する。【０００７】  そうして出来た基礎構造体２を外部からの影響による腐食や損傷から守る為、その周囲をメッキ又は樹脂を用いた、基礎構造体２を被覆するカバー層３で覆い、本体４を形成する。【０００８】  基礎構造体２をカバー層３で被覆して形成された本体４は摩擦を稼ぐ為、その底面にゴム層５を備え、作図用補助器具を構成する。【０００９】  こうして構成された作図用補助器具は本体４の重量とゴム層５が生み出す摩擦力との相乗効果により、任意に設置された位置を強く維持する設置力を帯び、定規１を当ててもずれたりしない、定規１を回転させる支点を支える固定部を実現する。【００１０】  次に任意の中心点に正確に設置する事が可能で、且つ定規１を正確に回転させて放射状の線画を作図するのに必要な、定規１を当てる為の支点を実現する解決手段として、本体４と本体４の底面に備えられたゴム層５で構成された作図用補助器具の形状は設置面及び紙面に対し真っ直ぐ垂直に立つ線状の角６を１ヵ所以上有する設置式固定台として成立する。【００１１】  こうして出来た角６は、任意の中心点上に合わせるだけで設置面及び紙面に対し真っ直ぐ垂直に立つ、任意の定規１を任意の中心点を中心に正確に回転させる、任意の定規１を当てる支点を実現させる部分となる。
【考案の効果】
【００１２】  本考案の従来の技術に対し優越する点は以下の通りである。【００１３】  １つ目は放射状の線画を作図する際、定規１を当てる為の支点として働く角６は本体３に支えられる形で設置面及び紙面に対し真っ直ぐ垂直に立つ為、従来の（１）の方法の様に紙面を傷付ける事は無い。【００１４】  ２つ目は放射状の線画を作図する際定規１を当てる為の支点を実現させる角６は設置面及び紙面に対し真っ直ぐ垂直に立つ為、角６を中心点に合わせるだけで中心点上に真っ直ぐ垂直に立つ支点を容易且つ正確に設置する事が可能となり、従来の（２）の方法の様に正確に設置するのが困難となる事は無い。【００１５】  ３つ目はこの器具は任意の定規１を回転させて放射状の線画を作図する際の支点を実現する作図用補助器具であり、従来の（３）の方法の様に定規１の寸法、形状や種類の選定に制限が無く、あらゆる種類の放射状の線画を作図する事が出来る。
【考案を実施するための最良の形態】
【００１６】  以下、本発明の実施の形態を図２、図３に基づいて説明する。【００１７】  図に於いて１は任意の定規で、２は比重７．０以上の材料を用いた基礎構造体で、３は基礎構造体２を外部からの影響による腐食や破損を防ぐ為のメッキ又は樹脂を用いたカバー層であり、この両者で本体４を形成、５は摩擦を稼ぐ為に本体４の底面に備えられたゴム層で、この３者で作図用補助器具を構成する。【００１８】  こうして構成された作図用補助器具の形状は高さ３ｍｍ以上、一辺３０ｍｍ以上の三角柱の形状の設置式固定台となり、設置面及び紙面に対し真っ直ぐ垂直に立つ線状の角６を３箇所有する。
【産業上の利用可能性】
【図面の簡単な説明】
【００２０】
【図１】本考案に関わる作図用補助器具の作図状態を示す説明図である
【図２】本考案に関わる作図用補助器具の斜視図である
【図３】本考案に関わる作図用補助器具の側面透視図である
【符号の説明】
【００２１】  １定規
２基礎構造体
３カバー層
４本体
５ゴム層
６角
【図１】
0003130799.tif 000003
【図２】
0003130799.tif 000004
【図３】
0003130799.tif 000005
(57)【要約】      （修正有）【課題】人間の口唇の圧力を簡単に計るもので、最初に口唇圧力を測定する場合と、口唇の筋肉トレーニングを実施した場合の後に、口唇圧力の強弱の変化を比較測定する口唇圧力測定器に関する。【解決手段】測定器本体は、一方に円形復元部を有し、この円形復元部に連接して相対して移動支持部と固定支持部を一体に構成する。該移動支持部と該固定支持部には、先端に口唇が嵌入する嵌合部を各々形成する。また、該固定支持部には、内部に案内溝を設けた固定目盛体を起立し、該案内溝には、移動目盛表示体を昇降自在に装設したことを特徴としている。【選択図】図１
0003130789.tif 000002
【実用新案登録請求の範囲】
【請求項１】
測定器本体（１）は、一方に円形復元部（２）を有し、該円形復元部（２）には、連接して相対する移動支持部（３）と固定支持部（４）とを一体に構成し、該移動支持部（３）と該固定支持部（４）には、先端に上下の口唇（８）（８）が嵌入する嵌合部（７）（７）を形成し、該固定支持部（４）には、内部に案内溝（１１）を穿設した固定目盛体（９）を起立固定し、該固定目盛体（９）の該案内溝（１１）には、移動目盛表示体（１２）を昇降自在に装設したことを特徴とする口唇圧力測定器。
【考案の詳細な説明】
【技術分野】
【０００１】  本考案は、口唇力の唇のトレーニングをした後に口唇を閉じる力の閉鎖力の強弱を容易に計ることが出来ることを目的とした口唇圧力測定器に関するものである。
【背景技術】
【０００２】  従来この種の口唇圧力を計る計器類は、非常に高価なものであるため、一般の人達には簡単に計ることは不可能なため、病院等の施設において、センサーで口唇圧力を計り、値をデジタル表示する方法が一般的に使用されている現状である。
【考案の開示】
【考案が解決しようとする課題】
【０００３】  従来の口唇圧力の計測器においては、施設以外では常時に口唇圧力の強弱を測定することは不可能である問題点がある。
そこで、本考案の目的とする所は、従来の計測器の問題点を解決したものであって、他の唇のトレーニング機器で、口唇圧力のトレーニングをした後に、各人が容易に口唇圧力の強弱の状態を本考案の測定器本体によって、唇をつぐむことによって移動目盛表示体が昇降して口唇圧力を容易に測定できる口唇圧力測定器を提供しようとするものである。
【課題を解決するための手段】
【０００４】  上記目的を達成するために、本考案の口唇圧力測定器によれば、測定器本体は、各種の合成樹脂を以って構成され、且つ該測定器本体には、一方に円形復元部を形成し、その円形復元部に連接して相対する移動支持部と固定支持部とを一体に形成する。該移動支持部と該固定支持部には、各々の先端に上下の口唇が当たる嵌合部を形成してある。
また、該固定支持部には、内部に案内溝と正面に目盛を設けた固定目盛体を固定してある。該案内溝には、移動目盛表示体を上下自在に移動できるよう装設してある。
【考案の効果】
【０００５】  本考案は、以上説明したように構成されているので、従来の口唇圧力を計る計測器の如く、高価で設置場所以外では使用できない欠点を解決し、安価で何人でも面倒な手間を要せず自由に家庭等において口唇圧力の強弱の状況過程を測定できる便利な効果がある。
そして、測定器本体の一方に円形復元部を設け、その円形復元部に連接して相対する移動支持部と固定支持部を構成したことにより、該円形復元部は、唇を閉じる小さな力に対しても簡単に押圧され、移動目盛表示体を強弱の目盛位置に移動できる効果がある。また、該移動支持部と該固定支持部との先端に設けた相対する嵌合部によっては、上下の相対する口唇が確実に嵌合支時される効果がある。更に、該固定支持部には、内部に摺動溝を設けた固定目盛体を起立し、該摺動溝に移動目盛表示体を昇降自在に装設したので、測定の際に該移動支持部が上下の口唇の押圧により移動目盛表示体は移動して目盛の位置を停止し、口唇の圧力を容易に計ることができる効果がある。
【考案を実施するための最良の形態】
【０００６】  以上の如く構成されている口唇圧力測定器の用法を説明すると、他の口唇の筋肉のトレーニング（商標パタカラ）等を始める前に一度測定し、その後、口唇のトレーニングを２週間及至１ヶ月間継続するたびに再度測定器を以って計測し、口唇圧力の力の変化を確認するものである。即ち、該測定器本体（１）の固定支持部（４）の嵌合部（７）に下口唇（８）を当て、移動支持部（３）の嵌合部（７）に上口唇（８）を当てて嵌合する。この時、移動目盛表示体（１２）は、図１の如く案内溝（１１）の一番上に位置し、そのまま唇を目一抔つぐむ。該移動目盛表示体（１２）は、図４、図５の如く目盛（１０）に沿って下降し、停止した位置が現在の口唇閉鎖力を示すもので、その位置によって口唇圧力の強弱の経過を判断するものである。
【実施例】
【０００７】  次に本考案の実施例を図面について説明すると、図１に示す測定器本体（１）は、各種の合成樹脂より成形され、該測定器本体（１）には、一方に円形復元部（２）を形成する。該円形復元部（２）には、上部に連接して移動支持部（３）を設けると共に、相対する下部に連接して固定支持部（４）を形成されている。次に、相対する該固定支持部（４）と、上部の該移動支持部（３）には、先方に各々上下方向に受止片（５）（５）と、該受止片（５）（５）との間に口唇（８）（８）を嵌合する嵌合部（７）（７）と形成する傾斜している押圧片（６）（６）を構成している。また、該固定支持部（４）には、縦方向に起立している固定目盛体（９）を固定し、該固定目盛体（９）には、内部に縦方向の案内溝（１１）を穿設すると共に、正面には、横方向の目盛（１０）（１０）を刻設してある。
更に、該案内溝（１１）には、内部を上下に移動する移動目盛表示体（１２）を昇降自在に嵌装してある。また該移動支持部（３）は、図３に示す如く、該固定目盛体（９）が上部に押し出し自在となるための開口部（１３）を穿設したものである。
【図面の簡単な説明】
【０００８】
【図１】  本考案の正面図である。
【図２】  同じく本考案の側面図である。
【図３】  同じく本考案の上面から見た平面図である。
【図４】  本考案の移動目盛表示体が目盛の位置に移動した場合の正面図である。
【図５】  同じく本考案を上下の口唇で押圧した状態の移動支持部が降下した状態の正面図である。
【符号の説明】
【０００９】１          測定器本体
２          円形復元部
３          移動支持部
４          固定支持部
５          受止片
６          押圧片
７          嵌合部
８          口唇
９          固定目盛体
１０        目盛
１１        案内溝
１２        移動目盛表示体
１３        開口部
【図１】
0003130789.tif 000003
【図２】
0003130789.tif 000004
【図３】
0003130789.tif 000005
【図４】
0003130789.tif 000006
【図５】
0003130789.tif 000007
(57)【要約】【課題】  本考案は木構造材の小屋組の横振れ、しなりやきしみを鋼構成筋交いが受け止めつつ小屋梁、二重梁、真束、対束と一体となって強風や地震の外力と対応することによって軸組みの補強をする。【解決手段】  本考案は主として木造軸組みの小屋組の隣接する小屋梁丸太８ｂと二重梁丸太６間相互ないし、小屋梁  丸太８ａと小屋梁  丸太８ｂ間相互に設置され、鋼材１の両端面部２に多数の係止孔３を穿設し、さらに両端部に多数の係止孔３を穿設した鋼材小片５を適宜角度に溶着せしめ、または結合部材４にて、可変角度にて結合せしめたものを接合することによって、桁行小屋筋交い、振れ止め、又は火打ち梁、方杖として、小屋組の横揺れを防ぎ、しなりやきしみを受け止めつつ、小屋梁と一体になって外力に対して補強  をする。【選択図】図１
0003130790.tif 000002
【実用新案登録請求の範囲】
【請求項１】
木構造用の軸組み補強鋼構成筋交いで、小屋組の桁行小屋筋交い、振れ止め又は火打ち梁、方杖であって、鋼材の両端面部に多数の係止孔を穿設し、さらに両端部に多数の係止孔を穿設した鋼材小片を適宜角度にて溶着せしめ、または結合部材にて可変角度にて結合せしめ接合面積を増大せしめて接合され、小屋組みの横揺れ、しなり、きしみを防ぎ補強するのを特徴とする木構造用鋼構成補強筋交い
【考案の詳細な説明】
【技術分野】
【０００１】  本考案は木構造用鋼構成筋交いに関するものである。
【背景技術】
【０００２】  木構造建築構造の小屋組の補強は木製筋交いやぬきで固定するのが一般的であった。
【考案の開示】
【考案が解決しようとす課題】
【０００３】  木構造軸組みの改造補強は手間と時間を要し非常に困難な工事である。古い柱や梁丸太でも取り付け容易な改造補強用の鋼構成筋交いの提供を狙いとするものである。
【問題を解決するための手段】
【０００４】  本考案は木造軸組みの主として、隣接する二重梁  と小屋梁丸太間相互、又は小屋梁丸太と小屋梁丸太間相互に接合され、小屋組の横振れ、しなり、きしみを受け止めつつ、小屋梁、二重梁、真束、対束と一体となって外力に対応することによって、軸組み構造の補強となることによって問題を解決している。
【考案の効果】
【０００５】  上述のように、本考案の木構造用鋼構成補強筋交いは鋼材小片を設けたので、梁丸太の円弧にも接合面積を増大せしめ、安定した接合が可能となり小屋組の強度を増大させ、地震や強風による小屋組の横振れ、しなり、きしみを受け止めつつ、軸組み構造の抜けや、はずれを防ぎ、また古い柱でも比較的容易に対応できる。
【考案を実施するための最良の形態】
【０００６】  鋼材のＬ形鋼、平形鋼、［形鋼、Ｃ形鋼、角形鋼，または鋼管の両端面部に多数の係止孔を穿設し、さらに両端部に多数の係止孔を穿設した鋼材小片を適宜角度にて溶着、または結合部材にて可変角度にて結合せしめ、ラグスクリュウボルト、木ねじ、ボルト、釘、ドリリングタッピングネジ当の結合部材で小屋組の隣接する小屋梁丸太と二重梁丸太間相互、または小屋梁丸太と小屋梁丸太間相互へ固着する。
【実施例１】
【０００７】  以下添付図面に従って一実施例を説明する。鋼材１の両端部２に多数の係止孔３を穿設し、さらに多数の係止孔３を穿設した鋼材小片５を結合部材４で固定したものを小屋組の隣接する小屋梁丸太８ｂと二重梁丸太６間相互に接合した鋼構成補強筋交いで、木構造軸組みの小屋組みの補強をする。
【図面の簡単な説明】
【０００８】
【図１】  本考案の木構造用鋼構成補強筋交いを小屋組の隣接する二重梁丸太と小屋梁丸太間相互に接合したる場合の二重梁丸太接合部の拡大斜視図である。
【図２】  本考案の木構造用鋼構成補強筋交いを木造軸組み構造の小屋組の隣接する二重梁丸太と小屋梁丸太間相互と、小屋梁丸太と小屋梁丸太間相互へ接合した場合の斜視図ある。
【符号の説明】
【０００９】１      鋼材
２      鋼材両端面部
３      鋼材小片
４      結合部材
５      係止孔
６      二重梁丸太
７      真束
８ａ    小屋梁丸太
８ｂ    隣接する小屋梁丸太
９      対束
１０    棟木
【図１】
0003130790.tif 000003
【図２】
0003130790.tif 000004
(57)【要約】【課題】本考案は旅先で使い捨て出来る程安価で、何処でも、誰でも簡単に使える鼻腔洗浄用具の提供を目的とする。【解決手段】  先端部に約１・５ミリメートルの穴を開けた、ペンシル型の全長６センチメートル、外径１センチメートル程度の鼻腔栓に全長約１００センチメートルで内径３ミリメートルの柔軟性の有るチューブを接続した簡易な用具。洗浄液を、空になった５００ミリリットル等を利用して、水位の落差で吐出圧が変える事が出来る、サイホン・逆サイホンを含む連通管  の原理を利用して、其の安定した流水性で、誰でも簡単に洗浄液を鼻腔内に流入させ、その汚れを反対側に自動的に排出できる。【選択図】  図１
0003130781.tif 000002
【実用新案登録請求の範囲】
【請求項１】
サイホン及び逆サイホンを含む、連通管の原理を利用する。
洗浄液を入れた容器の内部に、柔軟性のある素材で出来た連
通管を容器の底面部に届くように挿入し、連通管の内部に洗
浄液を下方向に向かって流入させ、先端部に鼻腔栓のノズル
を設けて、其の水位の落差を利用し上方向に吐出させ、鼻腔
の洗浄が出来る、用具の提供。
【考案の詳細な説明】
【技術分野】
【０００１】
本考案は、サイホン及び逆サイホンを含む、連通管の原理で鼻腔及び鼻孔を洗浄するものである。
【背景技術】
【０００２】
従来の鼻の洗浄には特別な器具や使用する場所が限定されていて、簡単に何処でも、誰でも洗浄出来なかった。
【考案の開示】
【考案が解決しようとする課題】
【０００３】
旅先や家庭でも、使い捨て出来る程安価で、手洗い、うがい感覚で鼻の洗浄も生活習慣にする。
【課題を解決するための手段】
【０００４】
本考案は、簡単な構造の柔軟性の有るチューブを本体とする連通管の原理を取り入れた。
【考案の効果】
【０００５】
上述の様に、本考療の連通行管式鼻腔洗浄用具は、
洗浄液が有れば、限られた場所及び特別な設備を必要とせず、何時でも、何処でも、子供でも、安定した流水性で不快感、負担感の軽減された鼻腔洗浄が出来る。
【考案を実施するための最良の形態】
【０００６】
洗浄液の容器として、空になったペットボトル等を利用する。連通管の原理は水位の落差で、洗浄液を吐出する為、先端部と洗浄液の容器の水位差をつけると、吐出圧が変える事が出来、水流が安定する。
【実施例】
【０００７】
以下、添付図面に従って実施例を説明する。
１は約１００センチメートルで内径３ミリメートルの柔軟性の有るチューブ。２は先端部に１．５ミリメートルの穴を開けたペンシル型の外径１センチメートル、全長６センチメートル程度の鼻腔栓で、１と２は簡単に外れない構造で本体とする。
【０００８】
３は洗浄液の容器であり、容器に体温程度の生理食塩水もしくは、それに準ずる洗浄液を入れる、空になった５００ミリリットルのペットボトルを利用する場合、あらかじめ浴槽に漬けて置けば、体温に近い洗浄液が用意できる。
１のチューブの先端が洗浄液の底面部まで届くように設定する。２のペンシル型の鼻腔栓と、３の容器との水位の落差を利用して吐出させる為３と２の位置関係は、３の容器を棚に置く等の配慮をする。１のチューブは抜け易いので、ゴムバンド等で仮止めする。
洗浄容器にペットボトルを利用する場合、出来る限り開口部まで洗浄液を満たし、洗浄容器に挿入した連通管を手の指間の付け根に挟んで、手のひらでペットボトルのふたをして、容器の上下を逆にすると、鼻腔栓の先端部より洗浄液が吐出されるので、鼻腔栓を鼻に当てて鼻腔内に流入させる。
鼻に当てた鼻腔栓より流入した洗浄液は、鼻も連通管の一部の様になり、口を閉じて何もしないでも、洗浄液が反対側の鼻腔内に流入し、其の汚れを自動的に排出する。
【図面の簡単な説明】
【０００９】
【図１】本考案の連通管式洗浄用具の実施例
【符号の説明】
【００１０】
１  透明耐寒チューブ
２  ペンシル型鼻腔栓
３  洗浄液の容器
【図１】
0003130781.tif 000003
【手続補正書】
【提出日】平成19年2月6日(2007.2.6)
【手続補正１】
【補正対象書類名】実用新案登録請求の範囲
【補正対象項目名】請求項１
【補正方法】変更
【補正の内容】
【請求項１】
洗浄液を入れた容器の内部に、柔軟性のある素材で出来た連通管を容器の底面部に届く様に挿入し、連通管の内部に洗浄液をサイホン及び逆約サイホンを含む、連通管の原理で下方向に流入させ、先端部に鼻腔栓のノズルを設けて、其の水位の落差を利用し上方向に吐出させ、鼻腔の洗浄が出来る連通管式鼻腔洗浄用具。
【手続補正２】
【補正対象書類名】明細書
【補正対象項目名】全文
【補正方法】変更
【補正の内容】
【考案の詳細な説明】
【技術分野】
【０００１】
本考案は、サイホン及び逆サイホンを含む、連通管の原理で鼻腔及び鼻孔を洗浄するものである。
【背景技術】
【０００２】
従来の鼻の洗浄には特別な器具や使用する場所が限定されていて、簡単に何処でも、誰でも洗浄出来なかった。
【考案の開示】
【考案が解決しようとする課題】
【０００３】
旅先や家庭でも、使い捨て出来る程安価で、手洗い、うがい、感覚で鼻の洗浄も生活習慣にする。
【課題を解決するための手段】
【０００４】
本考案は、簡単な構造の柔軟性の有る連通管を本体とする連通管の原理を取り入れた。
【考案の効果】
【０００５】
上述の様に、本考察の使い捨て連通行管式鼻腔洗浄用具は、洗浄液が有れば、限られた場所及び特別な設備を必要とせず、何時でも、何処でも、子供でも、安定した流水性で不快感、負担感の軽減された鼻腔洗浄が出来る。
【考案を実施するための最良の形態】
【０００６】
洗浄液の容器として、空になったペットボトル等を利用する。連通管の原理は水位の落差で洗浄液を吐出する為、先端部と洗浄液の容器の水位差をつけると、吐出圧が変える事が出来、水流が安定する。
【実施例】
【０００７】
以下、添付図面に従って実施例を説明する。
１は約１００センチメートルで内径３ミリメートルの柔軟性の有る連通管。２は先端部に１・５ミリメートルの穴を開けたペンシル型の外径1センチメートル、全長６センチメートル程度の鼻腔栓で、１と２は簡単に外れない構造で本体とする。
【０００８】
３は洗浄液の容器であり、容器に体温程度の生理食塩水もしくは、それに準ずる洗浄液を入れる空になった５００ミリリットルのペットボトルを利用する場合、あらかじめ浴槽に漬けて置けば、体温に近い洗浄液が用意できる。1の連通管の先端が洗浄液の底面部まで届くように設定する。２のペンシル型の鼻腔栓と、３の容器との水位の落差を利用して吐出させる為３と２の位置関係は、３の容器を棚に置く等の配慮をする。1の連通管は抜け易いので、ゴムバンド等で仮止めする。洗浄容器にペットボトルを利用する場合、出来る限り開口部まで洗浄液を満たし、洗浄容器に挿入した連通管を手の指間の付け根に挟んで、手のひらでペットボトル封をして、容器の上下を逆にすると、鼻腔栓の先端部より洗浄液が吐出されるので、鼻腔栓を鼻に当てて鼻腔内に流入させる。鼻に当てた鼻腔栓より流入した洗浄液は、鼻も連通管の一部の様になり、口を閉じて何もしないでも、洗浄液が反対側の鼻腔内に流入し、其の汚れを自動的に排出する
【図面の簡単な説明】
【０００９】
【図１】本考案の連通管式洗浄用具の実施例
【符号の説明】
【００１０】
１  柔軟性の有る連通管      
２  ペンシル型鼻腔栓
３  洗浄液の容器
(57)【要約】【課題】半田フロー時に、基板上の半田付け部に半田が過剰に積層することを防止できる半田フローパレットを得る。【解決手段】半田フローパレットの開口部内壁に過剰な半田を吸着させる金属板もしくはメッシュを設けることにより、印刷基板への過剰な半田の積層が抑えられ、良好な半田形状が得られる。【選択図】図６
0003130786.tif 000002
【実用新案登録請求の範囲】
【請求項１】
半導体基板上の半田付け部を含む領域に対応した位置に開口部を設けた半田フローパレットであって、開口部内壁に金属板もしくはメッシュを設けたことを特徴とする半田フローパレット。
【請求項２】
開口部の基板搬送方向に対して後方側の内壁に金属板もしくはメッシュを貼り付けたことを特徴とする請求項１の半田フローパレット。
【請求項３】
開口部内壁に貼り付けられた金属板が銅であることを特徴する請求項１もしくは２の半田フローパレット。
【考案の詳細な説明】
【技術分野】
【０００１】
本考案は半田フロー形式で半導体基板上に半田付けを行う際に用いる半田フローパレットに関する。
【背景技術】
【０００２】
一般に半田フローパレットを用いて半導体基板(以下基板)に半田付けをする場合、半田フローパレットの上に基板を載せ、半田フロー装置内を搬送しながら溶融した半田を吹き付けることにより(図１)、基板の半田付け部、すなわち半田ぬれ性の良い部分のみにはんだ付けがなされる(図２)。
【特許文献１】特開２００２−１９０６６７
【０００３】
しかしこの場合、装置内で吹き付けられた溶融状態の半田(５)が半田付け部に必要以上に積層してしまい（図３）、ショートの原因となってしまう問題がある。
【考案の開示】
【考案が解決しようとする課題】
【０００４】
半田フロー時に、基板上の半田付け部に半田が過剰に積層することを防止できる半田フローパレットを得る。
【課題を解決するための手段】
【０００５】
本発明者らは上記目的を達成するために鋭意改良研究を進めた結果、開口部内壁に過剰な半田を吸着させる金属板もしくは金属メッシュを設けた半田フローパレットを考案した。
【０００６】
すなわち、本考案は基板上の半田付け部を含む領域に対応した位置に開口部を設けた半田フローパレットであって、開口部内壁に金属板もしくはメッシュを設けたことを特徴とする半田フローパレット、を提供する。
及び、開口部の基板搬送方向に対して後方側の内壁に金属板もしくは金属メッシュを貼り付けたことを特徴とする請求項１の半田フローパレット、を提供する。
さらには開口部内壁に貼り付けられた金属板もしくは金属メッシュが銅であることを特徴とする請求項１もしくは２の半田フローパレット、を提供する。
【考案の効果】
【０００７】
半田フローパレットの開口部内壁に過剰な半田を吸着させる金属板もしくはメッシュを設けることにより、印刷基板への過剰な半田の積層が抑えられ、良好な半田形状が得られる。
【考案を実施するための最良の形態】
【０００８】
以下、本考案の半田フローパレットの代表的実施様態を図を用いて説明する。
図４は本発明の半田フローパレットの1実施例に基板を載せた状態を上から見た図を表し、図５は断面図を表す。図４及び５に示したように、半田フローパレットの開口部の基板の搬送方向に対して後方側の内壁には金属板が取り付けられている。図６は半田フローパレットに基板を載せて半田フロー装置内を搬送し、基板の半田付け部に半田を積層した図を表す。
【０００９】
過剰な半田が金属板に吸着することにより、半田付け部への過剰な半田の積層が抑えられ、良好な半田形状が得られる。
【００１０】
金属板の形状に指定はないが、半田の吸着効率を考慮すると、開口壁面に沿って帯状に形成するのが望ましく、溶融した半田の流れを考慮すると、開口部の基板の搬送方向に対して後方側の内壁に設けるのが望ましい。
【００１１】
金属板もしくは金属メッシュの材質は銅やニッケル等の半田ぬれ性が良好な金属が望ましく、特に半田吸着性の点から銅が望ましい。
【図面の簡単な説明】
【００１２】
【図１】一般的な半田フロー工程の断面図である。
【図２】理想的な半導体基板への半田積層状態の断面図である。
【図３】従来の半田フロー後の問題点を表す図である。
【図４】本考案の半田フローパレットの１実施例に半導体基板を載せた状態を上から見た図である。
【図５】本考案の半田フローパレットの1実施例に半導体基板を載せた状態の断面図である。
【図６】本考案の半田フローパレットを用いた、半導体基板への半田積層状態の断面図である。
【符号の説明】
【００１３】
１  半導体基板
２  半田付け部
３  積層された半田
４  半田フローパレット
５  溶融状態の半田の流れ
６  金属板もしくは金属メッシュ
【図１】
0003130786.tif 000003
【図２】
0003130786.tif 000004
【図３】
0003130786.tif 000005
【図４】
0003130786.tif 000006
【図５】
0003130786.tif 000007
【図６】
0003130786.tif 000008
(57)【要約】      （修正有）【課題】釣りに行った時、釣針が人にひっかかって傷ついたり、物にひっかかって取れなくなったりすることを防ぐための釣り用具を提供する。【解決手段】マジックテープ（登録商標）をオ型とメ型を円形にして、接合する。取手をつける。釣り針バンドの外側に、樹脂又はプラチックを流しこむ。又は付ける。【選択図】図１
0003130754.tif 000002
【実用新案登録請求の範囲】
【請求項１】
１、マジクテープをオ型とメ型を円形に切り。一部を接合する。
２、取手をつける。開きやすいように。
３、釣り針バンドの外側部分に、樹脂、又は、プラチックを流しこむ。
（安全のため）又は、付ける。
４、釣り針バンドを納めるためのビニール袋に入れる。
（個数が多いため）つり用具
【考案の詳細な説明】
【考案の詳細な説明】
この考案はつりに行った時、人に釣り針がひかかって傷ついたり。物にひかかって取れなくなったりして、また。糸がもつれないために考案したものである。それに釣り場から釣り場へ移動する場合、便利である。
特に、さびき釣り針用に最的である。
釣り針バンドの大きさは、釣り針に比例する。
【図面の簡単な説明】
【図１】本案の正面図
【符号の説明】
１、はマジクテープをオ型と、メ型とを円形にし接合したもの
２、は、取手  ３、安全のため、樹脂、又は、プラチックを流しこむか、付けた状体
４、は、釣り針バンドを納めた状体
【図１】
0003130754.tif 000003
【図２】
0003130754.tif 000004
【図３】
0003130754.tif 000005
【図４】
0003130754.tif 000006
【手続補正書】
【提出日】平成18年6月11日(2006.6.11)
【手続補正１】
【補正対象書類名】実用新案登録請求の範囲
【補正対象項目名】全文
【補正方法】変更
【補正の内容】
【実用新案登録請求の範囲】
【請求項１】
１、面フアスナーをオ型とメ型を円形にして、一部を接合する。
２、取手をつける、開きやすいようにするため。
３、安全のため、樹脂、又は、プラチクを流しこむか、付けた状体
４、釣り釣バンドを、ビニール袋に納めた状体。
【手続補正２】
【補正対象書類名】明細書
【補正対象項目名】全文
【補正方法】変更
【補正の内容】
【考案の詳細な説明】
【考案の詳細な説明】
【０００１】この考案は釣りに行った時、人に釣り針がひかかって傷ついたり、物にひかかて取れなくなったりして、糸がもってなくするために、考案した物である。それに釣り場から釣り場へ移動する場合、便利である。特にさびき釣り針用に最的である。
【図面の簡単な説明】
【０００２】
【図１】本案の正面図
【図２】本案の正面図
【図３】本案の側面図
【図４】本案の正面図
【符号の説明】
【０００３】１、は面ファスナをオ型と、メ型とを円形にし接合したもの
２、は取手
３、安全のため、樹脂、又は、プラチックを流しこむか、付けた状体
４、は、釣り針バンドを納めた状体
【手続補正書】
【提出日】平成18年9月21日(2006.9.21)
【手続補正１】
【補正対象書類名】実用新案登録請求の範囲
【補正対象項目名】全文
【補正方法】変更
【補正の内容】
【実用新案登録請求の範囲】
【請求項１】
１、は、フアスナをオ型とメ型とを円形にして接合したもの。
２、は取手を釣り針バンドのヘリに付ける。開きやすくようにするため。
３、安全のために、釣り針バンドの外側に、円形の型枠したものに流し込むか、釣り針バンドの外側に円形のプラスチクを接合する。
４、は、釣り針を釣り針バンドに納めた状態。
【手続補正書】
【提出日】平成18年11月27日(2006.11.27)
【手続補正１】
【補正対象書類名】実用新案登録請求の範囲
【補正対象項目名】全文
【補正方法】変更
【補正の内容】
【実用新案登録請求の範囲】
【請求項１】
１．面ファスナーを、オ型とメ型とを一部を接合したもの。
２．取手を、釣り針バンドのヘリに取りつける。開きやすくするため。
３．安全のため釣り針バンドの外側に、円形の型枠に樹脂を流し込む。か円形のプラスチックを接合する。
４．釣り針を、釣り針バンドにはさんで納めた状態。
以上の構成を備えた釣り針バンド。
(57)【要約】【課題】本考案の竹積層材棺桶は、限りある森林資源と石油資源を守る為に、竹素材を利用した棺桶であり、従来の竹積層材で製作すると棺桶の重量がかなり重くなり過ぎる為、今回、現在普及している棺桶と同等の重さの竹積層材で製作した棺桶を提供する。【解決手段】本考案の竹積層材棺桶は、底板以外の板部分を薄い竹積層材を使用する事によって軽量化した棺桶である。【選択図】図１
0003130759.tif 000002
【実用新案登録請求の範囲】
【請求項１】
内装を除き全て竹積層材を使用した事を特徴とする竹積層材棺桶。
【考案の詳細な説明】
【技術分野】
【０００１】棺桶に関するものである。
【背景技術】
【０００２】わが国の木材需要率は世界一位で、その上、棺桶は必需品です。従来の棺桶は、主に木材が多く、他に段ボール・石油関連素材等を使用した棺桶であった。
【考案の開示】
【考案が解決しようとする課題】
【０００３】日本での棺桶は、火葬する為のものであり、その棺桶を木材や石油素材で作るのは勿体ない。資源の無駄遣いと考える。
【課題を解決するための手段】
【０００４】地球環境を守る為にも限りある資源を大切にする目的です。竹積層材は貴重な木材を使用せず、又、石油資源を使用しない第３の素材である。
【考案の効果】
【０００５】竹積層材棺桶は、木材の伐採を節約し、森林を保護し、二酸化炭素の吸収を少しでも助ける。また、石油の消費を減らし、二酸化炭素の発生を抑制する。
【考案を実施するための最良の形態】
【０００６】本来、竹は昔から日本人に優しい風土があり、その上、竹は木に比べて強度があり、また、少しでも軽量にする為、蓋１と棺桶本体側面板３ａ、３ｂ、３ｃ、３ｄは、底板４の１／２以下の厚みにした。
【実施例】
【０００７】棺桶を竹積層材で製作するに当たり、軽量化する為、蓋板２と蓋側面板５ａ、５ｂ、５ｃ、５ｄと棺桶本体側面板３ａ、３ｂ、３ｃ、３ｄは薄い竹積層板を使用した。棺桶蓋１は、蓋側面板５ａと蓋側面板５ｂ、蓋側面板５ｂと蓋側面板５ｃ、蓋側面板５ｃと蓋側面板５ｄ、蓋側面板５ｄと蓋側面板５ａの部分の接合を容易にする為、図４に示す通り竹積層角材６ａ、６ｂ、６ｃ、６ｄを使用し、接合する。その上に蓋板２を接合する。本体棺桶も同様に、棺桶本体側面板３ａと棺桶本体側面板３ｂ、棺桶本体側面板３ｂと棺桶本体側面板３ｃ、棺桶本体側面板３ｃと棺桶本体側面板３ｄ、棺桶本体側面板３ｄと棺桶本体側面板３ａ部分の接合を容易にする為、図２に示す通り竹積層角材７ａ、７ｂ、７ｃ、７ｄを使用し接合する。また、棺桶本体側面板３ａ、３ｂ、３ｃ、３ｄと底板４の接合は底板４が厚い為、容易に接合でき、強度を高められる。
【産業上の利用可能性】
【０００８】竹積層材棺桶は火葬する時に公害問題はなく、地球に優しい。その上、竹は成長が早く、３〜５年で成熟竹となり、伐採が可能になり良質の竹林を維持する為にも、その成熟した竹を伐採する事で新しい良質の竹が芽生えます。これを活用する事こそ、森林破壊を防ぎ、石油の消費を減らし環境浄化（二酸化炭素削減）につながる。
【図面の簡単な説明】
【０００９】
【図１】本考案の竹積層棺桶立体図
【図２】棺桶本体側面板の接合平面図
【図３】蓋正面図
【図４】蓋平面図
【図５】一般的孟宗竹断面図（参考図面）
【図６】縦竹積層材接着構図（参考図面）
【図７】横竹積層材接着構図（参考図面）
【符号の説明】
【００１０】  １        棺桶蓋
２        蓋板
３        棺桶本体側面板
４        底板
５        蓋側面板
６        蓋板と蓋側面板、接合部分の竹積層角材
７        棺桶本体側面板と棺桶本体側面板、接合部分の竹積層角材
８        のぞき窓
９        丁番
１０        孟宗竹
１１        竹角材
１２        縦竹積層材
１３        横竹積層材
【図１】
0003130759.tif 000003
【図２】
0003130759.tif 000004
【図３】
0003130759.tif 000005
【図４】
0003130759.tif 000006
【図５】
0003130759.tif 000007
【図６】
0003130759.tif 000008
【図７】
0003130759.tif 000009
【手続補正書】
【提出日】平成18年11月10日(2006.11.10)
【手続補正１】
【補正対象書類名】実用新案登録請求の範囲
【補正対象項目名】全文
【補正方法】変更
【補正の内容】
【実用新案登録請求の範囲】
【請求項１】
棺桶本体と、蓋と、内装と、を有する棺桶において、
前記棺桶本体は、４枚の棺桶本体側面板と、底板と、を有し、
前記棺桶本体側面板及び前記底板は、それぞれ竹積層材により形成されており、
前記棺桶本体側面板を形成する竹積層材の厚さは、前記底板を形成する竹積層材の厚さの２分の１以下であり、
前記蓋は、４枚の蓋側面板と、蓋板と、を有し、
前記蓋側面板及び前記蓋板は、それぞれ竹積層材により形成されており、
隣接する前記棺桶本体側面板同士は、竹積層角材を介して接合され、
隣接する前記蓋側面板同士は、竹積層角材を介して接合されていることを特徴とする竹積層材棺桶。
【手続補正２】
【補正対象書類名】明細書
【補正対象項目名】０００４
【補正方法】変更
【補正の内容】
【０００４】  本考案は、その課題を解決するために以下のような構成をとる。本考案に係る竹積層材棺桶は、棺桶本体と、蓋と、内装と、を有する棺桶において、前記棺桶本体は、４枚の棺桶本体側面板と、底板と、を有し、前記棺桶本体側面板及び前記底板は、それぞれ竹積層材により形成されており、前記棺桶本体側面板を形成する竹積層材の厚さは、前記底板を形成する竹積層材の厚さの２分の１以下であり、前記蓋は、４枚の蓋側面板と、蓋板と、を有し、前記蓋側面板及び前記蓋板は、それぞれ竹積層材により形成されており、隣接する前記棺桶本体側面板同士は、竹積層角材を介して接合され、隣接する前記蓋側面板同士は、竹積層角材を介して接合されている。
地球環境を守る為にも限りある資源を大切にする目的です。竹積層材は貴重な木材を使用せず、又、石油資源を使用しない第３の素材である。
【手続補正３】
【補正対象書類名】明細書
【補正対象項目名】０００６
【補正方法】変更
【補正の内容】
【０００６】＿本来、竹は昔から日本人に優しい風土があり、その上、竹は木に比べて強度があり、また、少しでも軽量にする為、蓋１と棺桶本体側面板３ａ、３ｂ、３ｃ、３ｄは、底板４の２分の１以下の厚みにした。
(57)【要約】      （修正有）【課題】特に床を貼る場合に梁間に桟を渡さず、ないし従来より桟の数を減らし、作業工程の削減を図る土台、床面、梁面における仕口構造を提供する。【解決手段】梁１によって構成される方形の空間の対角状に補強材としての火打ち２を架渡する。これにより、中央空間部に新たに桟を設ける必要がなくなる。【選択図】図２
0003130105.tif 000002
【実用新案登録請求の範囲】
【請求項１】
梁によって構成される方形の空間の対角状に補強材としての火打ちを架渡したことを特徴とする土台・床面・梁面における仕口構造
【考案の詳細な説明】
【技術分野】
【０００１】  本願考案は、土台・床面・梁面における仕口構造、いわゆる火打ちに関するものである。
【背景技術】
【０００２】  木造建物では、床や天井裏の小屋組みの水平に直交する部材の接合部・交差部がしっかりと固定されるよう、斜めに架渡された補強材が使われる。これを火打ち材といい、火打ちは、地震の時などに建物の角がゆがまないように、土台面、床面、梁面などに必ず入れられる。
特に地震の多いわが国では、柱と梁だけの建物は、地震の揺れ（水平力）により建物が簡単に変形し、建物の倒壊等を招くことになるから、筋交いや火打ちにより建物が補強されている。
上述のとおり火打ちは、水平に直交する部材（梁）の接合部・交差部がしっかりと固定されるよう、斜めに架渡されるものであり、通常直交・接合される部材に架渡される。
この通常の火打ちを現したのが図１である。
図１に示した通常の火打ちでは、床面などで、床を貼る際に、床材を釘等で固定するため、火打ちとは別に梁間に桟を渡すなどの必要があった。
【考案の開示】
【考案が解決しようとする課題】
【０００３】
【０００４】  本願考案は、特に床を貼る場合に梁間に桟を渡さず、ないし従来より桟の数を減らし、作業工程の削減を図ることにある。
【課題を解決するための手段】
【０００５】  本願考案は、上述の課題を解決するため、梁によって構成される方形の空間の対角状に補強材としての火打ちを架渡する。
【考案の効果】
【０００６】  本願考案は、本造建築の床面工作作業において火打ちを活用することにより床梁の前段階工程たる桟渡の作業を削減でき木造建築の作業コストの削減を図ることができる。
【実施例】  以下、本願考案の実施例について、図面を用いながら説明する。【０００７】  図２は、本願考案の実施例を示す斜視図である。
本実施例においては、梁１によって構成される正方形の空間に火打ち２が対角状に架渡してある。
梁によって構成される方形の空間の上に床は貼られるが、床は平行の梁の間に桟を架渡し、その桟に床は固定される。
従来の火打ちの場合（図１参照）、梁によって構成される方形の空間の中央部は、梁間には、床を固定させるための部材はなく、よって、火打ちのほかに新たに床固定用の桟を梁間に架渡しなければならなかった。
しかし、本願考案においては、火打ち２は、梁１によって構成される方形の空間に対角状に架渡され、従来の火打ちを施した場合と異なり、梁によって構成される方形の空間の中央部には、わざわざ新たな床固定用の桟などを架渡させなくても火打ち２を桟の代替として床を固定することができる。
また、従来と同様に梁間に床固定用の桟を架渡させれば、床にかかる負荷に対し、従来以上に強靭になる。【０００８】  以上、実施例に基づき本願考案を説明したが、本願考案は上記実施例に何ら限定されるものではなく、本願考案の趣旨を逸脱しない範囲内で種々の改良変形が可能なことは容易に推察できることできるものである。
【図面の簡単な説明】
【図１】  図１は、従来からの火打ちの構造を現す斜視図である。
【図２】  図２は、本願考案の実施例を示す斜視図である。
【符合の説明】
１  梁
２  火打ち
【図１】
0003130105.tif 000003
【図２】
0003130105.tif 000004
(57)【要約】      （修正有）【課題】上下入れ替え可能な二段式餌箱を提供する。【解決手段】餌箱の側面に二つの上下入れ替え可能な引き出しを設けた二段式餌箱によって、上段と下段の引き出しを入れ替えることが可能となり、餌の交換を短時間でスムーズに行うことができる。餌箱を二段にすることで飼い主の意向により一日の餌の量を調整しやすくなり、食べきる量の餌を入れることが可能となり、餌殻または古い餌を捨てることができ古い餌との混入を防ぐことを可能にしている。また、他種の餌を与える時は、上下入れ替え可能な二段式餌箱の上段と下段の引き出しに種類の違う餌を入れその引き出しの交換によって種類の違う餌を一つの餌箱で与えることを可能とし、餌箱を増やさずに他種の餌を与えることを可能にしている。【選択図】図１
0003130110.tif 000002
【実用新案登録請求の範囲】
【請求項１】
小鳥の餌箱側面に出し入れ可能な引き出し２つを設け、上下二段からなる餌箱であり、上下入れ替え可能としたことを特徴とする小鳥の餌箱。
【考案の詳細な説明】
【技術分野】
【０００１】  本考案は小鳥用餌箱の側面に上下入れ替え可能な二つの引き出しを設けた小鳥用餌箱に関するものである。
【背景技術】
【０００２】  餌の交換に時間がかかり不便である。
他種の餌を与える時は餌箱を多数必要とする。
【考案の開示】
【考案が解決しようとする課題】
【０００３】  餌の交換は通常餌殻又は古い餌を餌箱から除き餌をたすため時間がかかる上に餌を捨てない限り古い餌との混入がある。また、他種の餌を与えるときは餌箱を多く必要とし不経済である。上下入れ替え可能な二段式餌箱は前記の問題点を解決しようとするものである。
【課題を解決するための手段】
【０００４】  本考案は餌箱の側面に二つの上下入れ替え可能な引き出しからなる二段式餌箱にすることで上記の問題点を解決している。
【考案の効果】
【０００５】  上述のように本考案の二段式餌箱は上段と下段の入れ替え可能な引き出しを設けることで上段と下段の引き出しを入れ替えることが可能となり、餌の交換を短時間でムーズにできるようにし、餌箱を二段にすることで食べきる量の餌を入れることを容易にし、餌殻または古い餌を捨てることができ古い餌との混入を防ぐことを可能にしている。また、他種の餌を与えるときは、上下入れ替え可能な二段式餌箱の上段と下段の引き出しに種類の違う餌をいれ、その引き出しを交換することで種類の違う餌を一つの餌箱で与えることを可能とし、餌箱の数を増やさずに他種の餌を与えることを可能にしている。
【図面の簡単な説明】
【０００６】
【図１】本考案の上下入れ替え可能な小鳥用二段式餌箱の正面図である。
【符号の説明】
【０００７】  １  上段の引き出し
２  下段の引き出し
３  引き出しの取手
４  上段と下段の間のしきり
【図１】
0003130110.tif 000003